(57)【要約】【課題】電解室内での水の流れを円滑化して、溶存水素濃度の高い電解水素水を大量に取得できる電解槽を提供する。【解決手段】電解槽１は、電解室５０を区画するためのケース５と、電解室５０を第１極室と第２極室とに区分する隔膜３３とを備える。ケース５は、第１極室に水を供給する第１入水口６６と、第２極室５２に水を供給する第２入水口７６と、第１極室から電気分解された電解水を取り出す第１出水口７７と、第２極室から電解水を取り出す第２出水口６７とを有する。隔膜３３は、第１対角３５ａ、３５ｂと、第１対角３５ａ、３５ｂとは異なる第２対角３５ｃ、３５ｄとを有する。角３５ａの側に第１入水口６６が、角３５ｂの側に第１出水口７７がそれぞれ設けられ、角３５ｃ側に第２入水口７６が、角３５ｄの側に第２出水口６７がそれぞれ設けられる。【選択図】図１
2018122212.tif 000002
【特許請求の範囲】
【請求項１】
電気分解される水が供給される電解室が形成された電解槽であって、
前記電解室を区画するためのケースと、
前記電解室内に対向して配置された互いに極性が異なる第１給電体及び第２給電体と、
前記第１給電体と前記第２給電体との間に配され、前記電解室を前記第１給電体側の第１極室と、前記第２給電体側の第２極室とに区分する隔膜とを備え、
前記ケースは、前記第１極室に前記水を供給する第１入水口と、前記第１入水口に対向して設けられ、前記第２極室に前記水を供給する第２入水口と、前記第１極室から電気分解された電解水を取り出す第１出水口と、前記第１出水口に対向して設けられ、前記第２極室から前記電解水を取り出す第２出水口とを有し、
前記隔膜は、第１対角と、前記第１対角とは異なる第２対角とを有し、
前記第１対角の一方側に前記第１入水口が、前記第１対角の他方側に前記第１出水口がそれぞれ設けられ、
前記第２対角の一方側に前記第２入水口が、前記第２対角の他方側に前記第２出水口がそれぞれ設けられていることを特徴とする電解槽。
【請求項２】
前記第１極室は、前記隔膜と前記第１給電体とに挟まれた第１電解部と、前記第１入水口から前記第１電解部に前記水を導くための第１入水路と、前記第１電解部から前記第１出水口に前記電解水を導くための第１出水路とを有し、
前記第２極室は、前記隔膜と前記第２給電体とに挟まれた第２電解部と、前記第２入水口から前記第２電解部に前記水を導くための第２入水路と、前記第２電解部から前記第２出水口に前記電解水を導くための第２出水路とを有し、
前記第１入水路は、前記水が前記第１入水口を通過する第１入水方向に向って、前記第１入水方向に垂直な断面積が減少する請求項１記載の電解槽。
【請求項３】
前記第１出水路は、前記電解水が前記第１出水口を通過する第１出水方向に向って、前記第１出水方向に垂直な断面積が増加する請求項２記載の電解槽。
【請求項４】
前記第２入水路は、前記水が前記第２入水口を通過する第２入水方向に向って、前記第２入水方向に垂直な断面積が減少する請求項２又は３に記載の電解槽。
【請求項５】
前記第２出水路は、前記電解水が前記第２出水口を通過する第２出水方向に向って、前記第２出水方向に垂直な断面積が増加する請求項２乃至４のいずれかに記載の電解槽。
【請求項６】
前記第１入水路と前記第２入水路とを仕切る第１仕切壁をさらに有する請求項５記載の電解槽。
【請求項７】
前記第１仕切壁は、前記第１入水方向に向って、前記第１出水口の側に傾斜してのびる第１傾斜壁を有する請求項６記載の電解槽。
【請求項８】
前記第１出水路と前記第２出水路とを仕切る第２仕切壁をさらに有する請求項６又は７に記載の電解槽。
【請求項９】
前記第２仕切壁は、前記第２出水方向に向って、前記第１入水口の側に傾斜してのびる第２傾斜壁を有する請求項８記載の電解槽。
【請求項１０】
前記隔膜の端縁を支持する膜支持体をさらに有し、
前記膜支持体は、前記第１仕切壁及び前記第２仕切壁と一体に形成されている請求項８又は９に記載の電解槽。
【請求項１１】
前記隔膜は、前記第１給電体の表側及び裏側に配され、前記第２給電体は、前記第１給電体の表側及び裏側に配されている請求項１乃至１０のいずれかに記載の電解槽。
【発明の詳細な説明】
【技術分野】
【０００１】
本発明は、電解水生成装置に好適に用いることができる電解槽に関する。
【背景技術】
【０００２】
電解槽は、電解室を区画するためのケースと、電解室内に対向して配置された第１給電体及び第２給電体と、第１給電体と第２給電体との間に配される隔膜等によって構成されている。かかる電解槽では、電解室に供給された水を電気分解することにより、その陰極側の極室で水素が溶け込んだ溶存水素水が生成される。
【０００３】
特許文献１には、電解室に水を供給するための供給管路及び電解室から電解水を取り出すための流出管路が、ケースに接続された電解槽が開示されている。
【０００４】
溶存水素濃度の高い電解水素水を大量に取得可能とするためには、電解室内で水が円滑に流れるように電解槽が構成されているのが望ましく、特許文献１に記載された電解槽にあってもさらなる改良が期待されている。
【先行技術文献】
【特許文献】
【０００５】
【特許文献１】特開２０１１−１６８８５７号公報
【発明の概要】
【発明が解決しようとする課題】
【０００６】
本発明は、以上のような実状に鑑み案出されたもので、電解室内での水の流れを円滑化して、溶存水素濃度の高い電解水素水を大量に取得できる電解槽を提供することを主たる目的としている。
【課題を解決するための手段】
【０００７】
本発明の電解槽は、電解室を区画するためのケースと、前記電解室内に対向して配置された互いに極性が異なる第１給電体及び第２給電体と、前記第１給電体と前記第２給電体との間に配され、前記電解室を前記第１給電体側の第１極室と、前記第２給電体側の第２極室とに区分する隔膜とを備え、前記ケースは、前記第１極室に前記水を供給する第１入水口と、前記第１入水口に対向して設けられ、前記第２極室に前記水を供給する第２入水口と、前記第１極室から電気分解された電解水を取り出す第１出水口と、前記第１出水口に対向して設けられ、前記第２極室から前記電解水を取り出す第２出水口とを有し、前記隔膜は、第１対角と、前記第１対角とは異なる第２対角とを有し、前記第１対角の一方側に前記第１入水口が、前記第１対角の他方側に前記第１出水口がそれぞれ設けられ、前記第２対角の一方側に前記第２入水口が、前記第２対角の他方側に前記第２出水口がそれぞれ設けられていることを特徴とする。
【０００８】
本発明に係る前記電解槽において、前記第１極室は、前記隔膜と前記第１給電体とに挟まれた第１電解部と、前記第１入水口から前記第１電解部に前記水を導くための第１入水路と、前記第１電解部から前記第１出水口に前記電解水を導くための第１出水路とを有し、前記第２極室は、前記隔膜と前記第２給電体とに挟まれた第２電解部と、前記第２入水口から前記第２電解部に前記水を導くための第２入水路と、前記第２電解部から前記第２出水口に前記電解水を導くための第２出水路とを有し、前記第１入水路は、前記水が前記第１入水口を通過する第１入水方向に向って、前記第１入水方向に垂直な断面積が減少することが望ましい。
【０００９】
本発明に係る前記電解槽において、前記第１出水路は、前記電解水が前記第１出水口を通過する第１出水方向に向って、前記第１出水方向に垂直な断面積が増加することが望ましい。
【００１０】
本発明に係る前記電解槽において、前記第２入水路は、前記水が前記第２入水口を通過する第２入水方向に向って、前記第２入水方向に垂直な断面積が減少することが望ましい。
【００１１】
本発明に係る前記電解槽において、前記第２出水路は、前記電解水が前記第２出水口を通過する第２出水方向に向って、前記第２出水方向に垂直な断面積が増加することが望ましい。
【００１２】
本発明に係る前記電解槽において、前記第１入水路と前記第２入水路とを仕切る第１仕切壁をさらに有することが望ましい。
【００１３】
本発明に係る前記電解槽において、前記第１仕切壁は、前記第１入水方向に向って、前記第１出水口の側に傾斜してのびる第１傾斜壁を有することが望ましい。
【００１４】
本発明に係る前記電解槽において、前記第１出水路と前記第２出水路とを仕切る第２仕切壁をさらに有することが望ましい。
【００１５】
本発明に係る前記電解槽において、前記第２仕切壁は、前記第２出水方向に向って、前記第１入水口の側に傾斜してのびる第２傾斜壁を有することが望ましい。
【００１６】
本発明に係る前記電解槽において、前記隔膜の端縁を支持する膜支持体をさらに有し、前記膜支持体は、前記第１仕切壁及び前記第２仕切壁と一体に形成されていることが望ましい。
【００１７】
本発明に係る前記電解槽において、前記隔膜は、前記第１給電体の表側及び裏側に配され、前記第２給電体は、前記第１給電体の表側及び裏側に配されていることが望ましい。
【発明の効果】
【００１８】
本発明では、第１極室に水を供給する第１入水口と、第２極室に水を供給する第２入水口と、第１極室から電気分解された電解水を取り出す第１出水口と、第２極室から電解水を取り出す第２出水口とが、ケースに設けられている。第１入水口と第２入水口とは互いに対向して設けられ、第１出水口と第２出水口とは互いに対向して設けられている。隔膜は、第１対角及び第２対角を有する。そして、第１対角の一方側に第１入水口が、第１対角の他方側に第１出水口がそれぞれ設けられることにより、第１入水口から流入した水が、第１極室の隅々に円滑に流れ込み、かつ第１出水口から取り出し易くなる。これにより、第１給電体の極性を陰極とすることにより、第１極室で供給溶存水素濃度の高い電解水素水を大量に生成し取得できるようになる。また、第２対角の一方側に第２入水口が、第２対角の他方側に第２出水口がそれぞれ設けられることにより、第２入水口から流入した水が、第２極室の隅々に円滑に流れ込み、かつ第２出水口から取り出し易くなる。これにより、第２給電体の極性を陰極とすることにより、第２極室で供給溶存水素濃度の高い電解水素水を大量に生成し取得できるようになる。
【図面の簡単な説明】
【００１９】
【図１】本発明の電解槽の一実施形態の概略構成を示す分解斜視図である。
【図２】図１の電解ユニットの構成を示す分解斜視図である。
【図３】同電解ユニットの構成を示す断面図である。
【図４】同電解ユニットの一部構成を段階的に破断して示す斜視図である。
【図５】図１の電解槽の構成を示す断面図である。
【図６】ケース及び膜支持体が第１給電体の厚さ方向に垂直な平面で切断された電解槽を示す斜視図である。
【図７】ケースが第１給電体の厚さ方向に垂直な平面で切断された電解槽を示す斜視図である。
【図８】図６の電解槽の平面図である。
【図９】図７の電解槽の平面図である。
【発明を実施するための形態】
【００２０】
以下、本発明の実施の一形態が図面に基づき説明される。
図１は、本実施形態の電解槽１の概略構成を示している。電解槽１は、例えば、電解水生成装置に搭載され、供給された水を電気分解し電解水を生成する。陰極側で生成された電解水は、電気分解によって生じた水素ガスが溶存する電解水素水とも称され、飲用等に好適である。電解槽１は、電気分解を行なう電解ユニット２と、電解ユニット２を収容し、電解室５０を区画するケース５とを備える。電解室５０には、電解ユニット２によって電気分解される水（以下、単に水と記す）が供給される。
【００２１】
図２は、電解ユニット２の斜視図であり、図３は、電解ユニット２の構成を示す断面図である。図４は、電解ユニット２の一部構成を段階的に破断した斜視図である。電解ユニット２は、電解室５０内で互いに対向して配置された第１給電体３１及び第２給電体３２と、第１給電体３１と第２給電体３２との間に配された隔膜３３とを含む。
【００２２】
第１給電体３１は、板状に形成された第１本体部３５と、軸状に形成された第１給電部３６とを含んでいる。第１本体部３５は、隔膜３３に沿って隔膜３３と平行に配されている。軸状の第１給電部３６とは、断面が円形の円柱状及び中空な円筒状の他、断面が多角形の角柱状の形態を含む。第１給電部３６の一端部３６ａは、第１本体部３５と電気的に接続され、他端部３６ｂはケース５の外部に突出されている。一端部３６ａと第１本体部３５とは、溶接等によって接合されている。他端部３６ｂには、第１給電体３１に電解電流を供給するためのケーブル（図示せず）が接続される。
【００２３】
第２給電体３２は、板状に形成された第２本体部３７と、軸状に形成された第２給電部３８とを含んでいる。第２本体部３７は、隔膜３３に沿って隔膜３３と平行に配されている。第２給電部３８の形態も第１給電部３６と同様である。第２給電部３８の一端部３８ａは、第２本体部３７と電気的に接続され、他端部３８ｂはケース５の外部に突出されている。一端部３８ａと第２本体部３７とは、溶接等によって接合されている。他端部３８ｂには、第２給電体３２に電解電流を供給するためのケーブル（図示せず）が接続される。
【００２４】
第１給電体３１及び第２給電体３２の極性は、電解水生成装置の制御部（図示せず）によって制御される。第１給電体３１が陽極として制御される場合、第２給電体３２は陰極として制御される。一方、第１給電体３１が陰極として制御される場合、第２給電体３２は陽極として制御される。
【００２５】
隔膜３３は、例えば、ポリテトラフルオロエチレン（ＰＴＦＥ）親水膜からなり、電解室５０を第１給電体３１の側の第１極室５１と第２給電体３２の側の第２極室５２とに区分する。隔膜３３は、矩形状に形成されている。隔膜３３は、互いに平行かつ直線状にのびる一対の長端縁３４ａ、３４ｂと、長端縁３４ａ、３４ｂに直交する一対の短端縁３４ｃ、３４ｄとを有している。
【００２６】
図１に示されるように、隔膜３３は、第１対角３５ａ、３５ｂと、第２対角３５ｃ、３５ｄとを有している。第１対角３５ａ、３５ｂと、第２対角３５ｃ、３５ｄとは互いに異なる対角である。
【００２７】
隔膜３３は、膜支持体４によって支持されている。膜支持体４は、例えば、樹脂によって構成され、インサート成形等により隔膜３３と一体に形成されている。膜支持体４は、隔膜３３の裏側、すなわち第１極室５１に設けられた複数の第１桟４５と複数の第２桟４６とを含む。第１桟４５は、第１給電部３６に沿って隔膜３３の短手方向（短端縁３４ｃ、３４ｄと平行）にのびる。第２桟４６は、第１桟４５に直交し、隔膜３３の長手方向（長端縁３４ａ、３４ｂと平行）にのびる。複数の第１桟４５と複数の第２桟４６とによって、膜支持体４は隔膜３３の裏面に沿って格子状に形成されている。
【００２８】
膜支持体４は、隔膜３３の表側すなわち第２極室５２に設けられた複数の第３桟４７と複数の第４桟４８とを含む。第３桟４７は、第２給電部３８に沿って隔膜３３の短手方向（短端縁３４ｃ、３４ｄと平行）にのびる。第４桟４８は、第３桟４７に直交し、隔膜３３の長手方向（長端縁３４ａ、３４ｂと平行）にのびる。複数の第３桟４７と複数の第４桟４８とによって、膜支持体４は隔膜３３の表面に沿って格子状に形成されている。
【００２９】
第１桟４５と第３桟４７とは、隔膜３３の厚さ方向から視た平面視で重なる位置に配されている。同様に、第２桟４６と第４桟４８とは、平面視で重なる位置に配されている。第１桟４５と第３桟４７とは、隔膜３３を第１給電体３１の側及び第２給電体３２の側から挟み込んで支持する。第２桟４６と第４桟４８とは、隔膜３３を第１給電体３１の側及び第２給電体３２の側から挟み込んで支持する。すなわち、膜支持体４は、隔膜３３を第１給電体３１の側及び第２給電体３２の側から挟み込んで支持する。
【００３０】
図１に示されるように、ケース５は、樹脂によって形成されている。ケース５は、長端縁３４ａ、３４ｂ及び短端縁３４ｃ、３４ｄを有する隔膜に対応する縦長形状に形成されている。ケース５は、第１長端縁３４ａの側の第１ケース片６と、第２長端縁３４ｂの側の第２ケース片７とを含んでいる。
【００３１】
ケース５は、第１入水口６６と、第２入水口７６と、第１出水口７７と、第２出水口６７とを有している。
【００３２】
第１入水口６６は、第１極室５１に水を供給する。第１入水口６６は、第１ケース片６に形成されている。第２入水口７６は、第２極室５２に水を供給する。第２入水口７６は、第２ケース片７に形成されている。第１入水口６６と第２入水口７６とは、互いに対向するように配されている。
【００３３】
第１出水口７７は、第１極室５１から電気分解された電解水を取り出す。第１出水口７７は、第２ケース片７に形成されている。第２出水口６７は、第２極室５２から電気分解された電解水を取り出す。第２出水口６７は、第１ケース片６に形成されている。
【００３４】
第１入水口６６は、第１対角３５ａ、３５ｂの一方（すなわち角３５ａ）側に設けられている。第１出水口７７は、第１対角３５ａ、３５ｂの他方（すなわち角３５ｂ）側に設けられている。
【００３５】
第２入水口７６は、第２対角３５ｃ、３５ｄの一方（すなわち角３５ｃ）側に設けられている。第２出水口６７は、第２対角３５ｃ、３５ｄの他方（すなわち角３５ｄ）側に設けられている。
【００３６】
図５は、電解槽１の断面を示している。図１及び５に示されるように、第１ケース片６は、合わせ面６１を有し、第２ケース片７は、合わせ面７１を有している。第１ケース片６と第２ケース片７とは、隔膜３３と交差する合わせ面６１、７１で結合されている。
【００３７】
第１ケース片６と第２ケース片７とは、封止部材１０を介してねじ１１等によって結合される。合わせ面６１、７１は、互いに対応する凹凸形状に形成されていてもよい。
【００３８】
図６は、ケース５及び膜支持体４が第１給電体３１の厚さ方向に垂直な平面で切断された電解槽１を示している。図中、第１給電体３１の上方空間が第１極室５１を構成する。本電解槽１にあっては、角３５ａの側に第１入水口６６が、角３５ｂの側に第１出水口７７が、それぞれ設けられているので、第１極室５１内では角３５ａの側から角３５ｂの側に向う矢印Ｆ１方向に大局的な水の流れが生ずる。従って、第１入水口６６から流入した水が、第１極室５１の隅々まで円滑に流れ込み、かつ第１出水口７７から取り出し易くなる。これにより、第１給電体３１の極性を陰極とすることにより、第１極室５１で供給溶存水素濃度の高い電解水素水を大量に生成し取得できるようになる。
【００３９】
図７は、ケース５が第１給電体３１の厚さ方向に垂直な平面で切断された電解槽１を示している。同図では、隔膜３３の上方空間の第２極室５２を明確にするため、第２給電体３２が除かれている。従って、図中、隔膜３３の上方空間が第２極室５２を構成する。本電解槽１にあっては、角３５ｃの側に第２入水口７６が、角３５ｄの側に第２出水口６７が、それぞれ設けられているので、第２極室５２内では角３５ｃから角３５ｄに向う矢印Ｆ２方向に大局的な水の流れが生ずる。従って、第２入水口７６から流入した水が、第２極室５２の隅々まで円滑に流れ込み、かつ第２出水口６７から取り出し易くなる。これにより、第２給電体３２の極性を陰極とすることにより、第２極室５２で供給溶存水素濃度の高い電解水素水を大量に生成し取得できるようになる。
【００４０】
図８は、図６の電解槽１の平面図である。第１極室５１は、第１電解部５１ａと、第１入水路５１ｂと、第１出水路５１ｃとを有している。第１電解部５１ａは、図３、４、５に示される隔膜３３と第１給電体３１とに挟まれている。第１入水路５１ｂは、第１入水口６６及び第１電解部５１ａと連通し、第１入水口６６から第１電解部５１ａに水を導く。第１出水路５１ｃは、第１電解部５１ａ及び第１出水口７７と連通し、第１電解部５１ａから第１出水口７７に電解水を導く。
【００４１】
第１入水路５１ｂは、水が第１入水口６６を通過する第１入水方向Ｄｉ１に向って、第１入水方向Ｄｉ１に垂直な断面積が減少する。これにより、第１入水口６６から流入した水が、速度を大きく低下することなく第１電解部５１ａに導かれる。従って、第１入水口６６から第１電解部５１ａに至る水の流れが円滑化される。
【００４２】
第１出水路５１ｃは、電解水が第１出水口７７を通過する第１出水方向Ｄｏ１に向って、第１出水方向Ｄｏ１に垂直な断面積が増加する。これにより、第１電解部５１ａから流出する水が、速度を大きく低下することなく第１出水口７７に導かれる。従って、第１電解部５１ａから第１出水口７７に至る水の流れが円滑化される。
【００４３】
図９は、図７の電解槽１の平面図である。第２極室５２は、第２電解部５２ａと、第２入水路５２ｂと、第２出水路５２ｃとを有している。第２電解部５２ａは、図３、４、５に示される隔膜３３と第２給電体３２とに挟まれている。第２入水路５２ｂは、第２入水口７６及び第２電解部５２ａと連通し、第２入水口７６から第２電解部５２ａに水を導く。第２出水路５２ｃは、第２電解部５２ａ及び第２出水口６７と連通し、第２電解部５２ａから第２出水口６７に電解水を導く。
【００４４】
第２入水路５２ｂは、水が第２入水口７６を通過する第２入水方向Ｄｉ２に向って、第２入水方向Ｄｉ２に垂直な断面積が減少する。これにより、第２入水口７６から流入した水が、速度を大きく低下することなく第２電解部５２ａに導かれる。従って、第２入水口７６から第２電解部５２ａに至る水の流れが円滑化される。
【００４５】
第２出水路５２ｃは、電解水が第２出水口６７を通過する第２出水方向Ｄｏ２に向って、第２出水方向Ｄｏ２に垂直な断面積が増加する。これにより、第２入水口７６から流入した水が、速度を大きく低下することなく第２電解部５２ａに導かれる。従って、第２入水口７６から第２電解部５２ａに至る水の流れが円滑化される。
【００４６】
第１電解部５１ａと第２電解部５２ａとは、隔膜３３によって仕切られている。第１入水路５１ｂと第２入水路５２ｂとは、第１仕切壁４１によって仕切られている。第１出水路５１ｃと第２出水路５２ｃとは、第２仕切壁４２によって仕切られている。隔膜３３と第１仕切壁４１及び第２仕切壁４２が形成された膜支持体４とによって、電解室５０が第１極室５１と第２極室５２とに区画され、第１極室５１を流れる水と第２極室５２を流れる水とが隔離される。本実施形態では、第１仕切壁４１及び第２仕切壁４２は、膜支持体４に一体に形成されている。これにより、電解槽１の構成が簡素化される。
【００４７】
第１仕切壁４１は、第１傾斜壁４１ａを有する。第１傾斜壁４１ａは、第１入水方向Ｄｉ１に向って、第１出水口７７の側に傾斜してのびている。このような第１傾斜壁４１ａによって、第１入水方向Ｄｉ１に向って、第１入水方向Ｄｉ１に垂直な断面積が減少する第１入水路５１ｂと、第２入水方向Ｄｉ２に向って、第２入水方向Ｄｉ２に垂直な断面積が減少する第２入水路５２ｂとが容易に実現される。
【００４８】
第２仕切壁４２は、第２傾斜壁４２ａを有する。第２傾斜壁４２ａは、第２出水方向Ｄｏ２に向って、第１入水口６６の側に傾斜してのびている。このような第２傾斜壁４２ａによって、第１出水方向Ｄｏ１に向って、第１出水方向Ｄｏ１に垂直な断面積が増加する第１出水路５１ｃと、第２出水方向Ｄｏ２に向って、第２出水方向Ｄｏ２に垂直な断面積が増加する第２出水路５２ｃとが容易に実現される。
【００４９】
図２乃至５に示されるように、本実施形態では、電解ユニット２は、一対の隔膜３３、３３Ａ及び一対の第２給電体３２、３２Ａを有している。
【００５０】
隔膜３３は、膜支持体４０によって支持され、第１給電体３１の表側（図１乃至５において上側）に配されている。隔膜３３Ａは、膜支持体４０Ａによって支持され、第１給電体３１の裏側（図１乃至５において下側）に配されている。膜支持体４０と膜支持体４０Ａとが固着されて膜支持体４を構成する。
【００５１】
隔膜３３Ａの構成及び支持構造は、隔膜３３と同様である。第２給電体３２は、第１給電体３１の表側に配され、第２給電体３２Ａは、第１給電体３１の裏側に配されている。第２給電体３２Ａの構成は、第２給電体３２と同様である。例えば、第２給電体３２Ａは、板状に形成された第２本体部３７Ａと、軸状に形成された第２給電部３８Ａとを含んでいる。隔膜３３Ａによって、第１給電体３１の側の第１極室５１Ａと第２給電体３２の側の第２極室５２Ａとが区画される。
【００５２】
第１極室５１と第１極室５１Ａとは、第１入水路５１ｂ及び第１出水路５１ｃを介して互いに連通している。第１入水口６６は、第１極室５１Ａに水を供給する。第１出水口７７は、第１極室５１Ａから電気分解された電解水を取り出す。
【００５３】
一方、第２極室５２と第２極室５２Ａとは、第２入水路５２ｂ及び第２出水路５２ｃを介して互いに連通している。第２入水口７６は、第２極室５２Ａに水を供給する。第２出水口６７は、第２極室５２Ａから電気分解された電解水を取り出す。
【００５４】
膜支持体４０Ａは、第１膜保護部４３Ａ、第２膜保護部４４Ａ、第１桟４５Ａ、第２桟４６Ａ、第３桟４７Ａ及び第４桟４８Ａを有する。第１膜保護部４３Ａ、第２膜保護部４４Ａ、第１桟４５Ａ、第２桟４６Ａ、第３桟４７Ａ及び第４桟４８Ａの構成は、膜支持体４０の第１膜保護部４３、第２膜保護部４４、第１桟４５、第２桟４６、第３桟４７及び第４桟４８の構成と同等である。
【００５５】
以上、本実施形態の電解槽１が詳細に説明されたが、本発明は上記の具体的な実施形態に限定されることなく種々の態様に変更して実施される。すなわち、本発明の電解槽１は、少なくとも、電解室５０を区画するためのケース５と、電解室５０内に対向して配置された互いに極性が異なる第１給電体３１及び第２給電体３２と、第１給電体３１と第２給電体３２との間に配され、電解室５０を第１給電体３１側の第１極室５１と、第２給電体３２側の第２極室５２とに区分する隔膜３３とを備え、ケース５は、第１極室５１に水を供給する第１入水口６６と、第１入水口６６に対向して設けられ、第２極室５２に水を供給する第２入水口７６と、第１極室５１から電気分解された電解水を取り出す第１出水口７７と、第１出水口７７に対向して設けられ、第２極室５２から電解水を取り出す第２出水口６７とを有し、隔膜３３は、第１対角３５ａ、３５ｂと、第１対角３５ａ、３５ｂとは異なる第２対角３５ｃ、３５ｄとを有し、角３５ａの側に第１入水口６６が、角３５ｂの側に第１出水口７７がそれぞれ設けられ、角３５ｃ側に第２入水口７６が、角３５ｄの側に第２出水口６７がそれぞれ設けられていればよい。
【符号の説明】
【００５６】
１      ：電解槽
２      ：電解ユニット
４      ：膜支持体
５      ：ケース
６      ：第１ケース片
７      ：第２ケース片
１０    ：封止部材
１１    ：ねじ
３１    ：第１給電体
３２    ：第２給電体
３２Ａ  ：第２給電体
３３    ：隔膜
３３Ａ  ：隔膜
３５ａ  ：第１対角
３５ｂ  ：第１対角
３５ｃ  ：第２対角
３５ｄ  ：第２対角
４１    ：第１仕切壁
４１ａ  ：第１傾斜壁
４２    ：第２仕切壁
４２ａ  ：第２傾斜壁
５０    ：電解室
５１    ：第１極室
５１Ａ  ：第１極室
５１ａ  ：第１電解部
５１ｂ  ：第１入水路
５１ｃ  ：第１出水路
５２    ：第２極室
５２Ａ  ：第２極室
５２ａ  ：第２電解部
５２ｂ  ：第２入水路
５２ｃ  ：第２出水路
６６    ：第１入水口
６７    ：第２出水口
７６    ：第２入水口
７７    ：第１出水口
Ｄｉ１  ：第１入水方向
Ｄｉ２  ：第２入水方向
Ｄｏ１  ：第１出水方向
Ｄｏ２  ：第２出水方向
【図１】
2018122212.tif 000003
【図２】
2018122212.tif 000004
【図３】
2018122212.tif 000005
【図４】
2018122212.tif 000006
【図５】
2018122212.tif 000007
【図６】
2018122212.tif 000008
【図７】
2018122212.tif 000009
【図８】
2018122212.tif 000010
【図９】
2018122212.tif 000011
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
電気分解される水が供給される電解室が形成された電解槽であって、
前記電解室を区画するためのケースと、
前記電解室内に対向して配置された互いに極性が異なる第１給電体及び第２給電体と、
前記第１給電体と前記第２給電体との間に配され、前記電解室を前記第１給電体側の第１極室と、前記第２給電体側の第２極室とに区分する隔膜とを備え、
前記ケースは、前記第１極室に前記水を供給する第１入水口と、前記第１入水口に対向して設けられ、前記第２極室に前記水を供給する第２入水口と、前記第１極室から電気分解された電解水を取り出す第１出水口と、前記第１出水口に対向して設けられ、前記第２極室から前記電解水を取り出す第２出水口とを有し、
前記隔膜は、第１対角と、前記第１対角とは異なる第２対角とを有し、
前記第１対角の一方側に前記第１入水口が、前記第１対角の他方側に前記第１出水口がそれぞれ設けられ、
前記第２対角の一方側に前記第２入水口が、前記第２対角の他方側に前記第２出水口がそれぞれ設けられ、
前記第１極室は、前記隔膜と前記第１給電体とに挟まれた第１電解部と、前記第１入水口から前記第１電解部に前記水を導くための第１入水路と、前記第１電解部から前記第１出水口に前記電解水を導くための第１出水路とを有し、
前記第２極室は、前記隔膜と前記第２給電体とに挟まれた第２電解部と、前記第２入水口から前記第２電解部に前記水を導くための第２入水路と、前記第２電解部から前記第２出水口に前記電解水を導くための第２出水路とを有し、
前記第１入水路は、前記水が前記第１入水口を通過する第１入水方向に向って、前記第１入水方向に垂直な断面積が減少することを特徴とする電解槽。
【請求項２】
前記第１出水路は、前記電解水が前記第１出水口を通過する第１出水方向に向って、前記第１出水方向に垂直な断面積が増加する請求項１記載の電解槽。
【請求項３】
前記第２入水路は、前記水が前記第２入水口を通過する第２入水方向に向って、前記第２入水方向に垂直な断面積が減少する請求項２記載の電解槽。
【請求項４】
前記第２出水路は、前記電解水が前記第２出水口を通過する第２出水方向に向って、前記第２出水方向に垂直な断面積が増加する請求項２又は３に記載の電解槽。
【請求項５】
前記第１入水路と前記第２入水路とを仕切る第１仕切壁をさらに有する請求項４記載の電解槽。
【請求項６】
前記第１仕切壁は、前記第１入水口と前記第２入水口との間に設けられ、前記第１入水方向に向って、前記第１出水口の側に傾斜してのびる第１傾斜壁を有する請求項５記載の電解槽。
【請求項７】
前記第１出水路と前記第２出水路とを仕切る第２仕切壁をさらに有する請求項５又は６記載の電解槽。
【請求項８】
前記第２仕切壁は、前記第１出水口と前記第２出水口との間に設けられ、前記第２出水方向に向って、前記第１入水口の側に傾斜してのびる第２傾斜壁を有する請求項７記載の電解槽。
【請求項９】
前記隔膜の端縁を支持する膜支持体をさらに有し、
前記膜支持体は、前記第１仕切壁及び前記第２仕切壁と一体に形成されている請求項７又は８記載の電解槽。
【請求項１０】
前記隔膜は、前記第１給電体の表側及び裏側に配され、前記第２給電体は、前記第１給電体の表側の前記隔膜のさらに表側と前記第１給電体の裏側の前記隔膜のさらに裏側とに配されている請求項１乃至９のいずれかに記載の電解槽。